(57)【要約】【課題】通話中に携帯電話が通信圏外になる場合に、予め通話の相手方にも通信圏外になることを告知し、また、携帯電話が通信圏内に戻ったら自動的にリダイヤルできるようにする。【解決手段】  携帯電話１０は、経路探索のための道路ネットワークデータ４４と、通信エリアの情報を蓄積した通信エリアデータ４６と、圏外予測手段４４と、を備えた経路探索サーバ４０と連携し、経路探索サーバ４０の圏外予測手段４４により所定時間後に通信エリアの圏外になることが予測された場合に、少なくとも通信の相手方にその旨を告知する圏外告知手段２７を備える。そして再度圏内に戻るとリダイヤルする。【選択図】図１
2007151049.tif 000002
【特許請求の範囲】
【請求項１】
経路探索のための道路ネットワークデータと、通信エリアの情報を蓄積した通信エリアデータと、圏外予測手段と、を備えた経路探索サーバとネットワークを介して接続され、所望の地点から所望の地点までの経路を経路探索サーバから受信する携帯電話であって、
前記携帯電話は、前記経路探索サーバの圏外予測手段により所定時間後に通信エリアの圏外になることが予測された場合に、少なくとも通信の相手方にその旨を告知する圏外告知手段を備えることを特徴とする圏外告知機能を有する携帯電話。
【請求項２】
前記携帯電話は、更に通話履歴記憶手段と、リダイヤル処理手段と、を備え、前記通話履歴記憶手段に通信の相手先の電話番号を記憶し、当該携帯電話が通信エリアの圏外になり、移動により再び通信エリアの圏内になったことが検出された場合、前記リダイヤル処理手段は前記通話履歴記憶手段に記憶された前記相手方の電話番号にリダイヤルすることを特徴とする請求項１に記載の圏外告知機能を有する携帯電話。
【請求項３】
経路探索のための道路ネットワークデータと、各通信キャリアの通信エリアの情報を蓄積した通信エリアデータと、圏外予測手段と、を備えたナビゲーション装置と接続される携帯電話であって、
前記携帯電話は、通信キャリアを選択するキャリア選択手段と、前記ナビゲーション装置の圏外予測手段により所定時間後に前記通信エリアの圏外になることが予測された場合に、少なくとも通信の相手方にその旨を告知する圏外告知手段と、を備えることを特徴とする圏外告知機能を有する携帯電話。
【請求項４】
前記携帯電話は、更に通話履歴記憶手段と、リダイヤル処理手段と、を備え、前記通話履歴記憶手段に通信の相手先の電話番号を記憶し、当該携帯電話が前記通信エリアの圏外になり、移動により再び前記通信エリアの圏内になったことが検出された場合、前記リダイヤル処理手段は前記通話履歴記憶手段に記憶された前記相手方の電話番号にリダイヤルすることを特徴とする請求項３に記載の圏外告知機能を有する携帯電話。
【発明の詳細な説明】
【技術分野】
【０００１】
本発明は、事前に通信圏外になることを利用者に予め告知する圏外告知機能を有する携帯電話に関するものであり、特に、通話中に携帯電話が通信圏外になる場合に、予め通話の相手方にも通信圏外になることを告知し、携帯電話が通信圏内に入った際に通話中であった電話番号に自動的にリダイヤルするようにした圏外告知機能を有する携帯電話に関するものである。
【背景技術】
【０００２】
近年の情報処理技術、通信技術の発展に伴い種々の携帯型の情報通信端末装置（以下、携帯端末装置という）が広く普及している。このような携帯端末装置は、利用者が外出先からインターネットなどのネットワークを介して種々サービスを提供する情報配信サーバや所望のウェブサイトに接続して当該サービスを受け、あるいは情報を取得したり、自社のネットワークに接続したりして業務上必要な情報を取得することができる。
【０００３】
最近では、携帯電話のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、自動販売機、交通機関やコンビニエンスストアなどの代金決済など、様々なサービスを受けることができるようになってきている。特に携帯電話においては種々のオプションやアプリケーションが搭載可能であり、利用できるサービスの種類も豊富になってきている。
【０００４】
また、第３世代と称される携帯電話にはＧＰＳ受信機が搭載され、携帯電話自体が位置する現在位置（緯度・経度）を測定することができ、携帯電話を端末装置としたナビゲーションシステムも実用化されている。このような測位システムを利用して、高齢者や児童などの位置確認や、犯罪や火災などの事件、事故における通報時の位置確認などに利用システムも種々検討されている。
【０００５】
更に、利用者は、サービス事業者が提供するブラウザやアプリケーション、ゲームソフトのように携帯電話用として開発された様々なアプリケーションなどを自身が所有する携帯電話にインストールして所望のサービスや機能追加のためカスタマイズすることができる。
【０００６】
携帯電話のような移動体通信システムは、基地局との間を無線通信により通信するシステムでてあり、携帯電話が基地局の電波到達範囲内（以下通信エリアという）に位置していない場合には通信することができない。また、当然に山間部など基地局が設置されていないエリアに携帯電話がある場合にも通信することができない。
【０００７】
携帯電話は歩行中あるいは各種交通機関を利用した移動中に使用される場合も多い。このように移動しながら携帯電話を使用して通信する場合、基地局の通信エリア内（以下通信圏内という）から通信エリア外（以下通信圏外という）に離脱してしまう場合がある。この場合、ある基地局の通信圏内を離脱しても、隣接する基地局の通信圏内に入る場合には通信が隣接する基地局に引き継がれる。このような処理はハンドオーバと呼ばれる。
【０００８】
しかしながら、通信圏外に離脱した時、隣接するエリアに基地局が設置されておらず、通信圏外の状態が続くと、通信は切断されてしまう。一般的には、携帯電話が通話中に通信圏外にでてしまうと、一定の期間無通信状態になりその後通信が完全に切断される。通話者双方は無通信状態になった場合に、通信圏外に出たためにて無通信状態になったのか、故障やその他の原因で無通信状態になったのかを判別することができず、通信が切断されたことに対して不快な感情を与えてしまう場合がある。
【０００９】
このような問題に対応するため、携帯電話が通信圏外になった場合や、通信圏外になることが予測される場合に利用者に告知する手段が種々提案されている。例えば、下記の特許文献１（特開２００４−３６４２２３号公報）には、一定時間後の携帯端末の位置を予測し、予測位置が通信圏外になる場合に当該携帯端末にその旨のメッセージを送信する通信圏外予告サーバを備えた移動通信システムが開示されている。
【００１０】
すなわち、この特許文献１に開示された移動通信システム以下のように構成される。すなわち、携帯端末は、定期的に位置算出部によって現在の位置情報を算出し、その位置情報を通信圏外予告サーバに送信する。通信圏外予告サーバは、受信した位置情報を位置情報履歴データベースに記憶させ、位置情報履歴データベースに記憶させた位置情報の履歴と、マップデータベースが記憶する地図情報とに基づいて、一定時間後における携帯端末の位置を予測する。通信圏外予告サーバは予測位置が通信圏外であれば、通信圏外に出ることを予告する通知を携帯端末に送信する。
【００１１】
また、下記の特許文献２（特開２００２−２１８５４０号公報）には、無線端末が通話中に通信圏外になったことを通話相手に知らせることができる移動通信システム用交換機が開示されている。すなわち、特許文献２に開示された移動通信システム用交換機は、通話中に、移動端末がサービスエリア圏外になった場合、通話相手に所定の音声を送信するように構成したものである。
【００１２】
更に、下記の特許文献３（特開平６−２２４８４０号公報）には、通信圏外で入力した電話番号を予約登録しておき、移動体電話が通信圏内になった時に予約した通信先に自動的にダイヤル発信するようにした移動体電話装置が開示されている。
【００１３】
この特許文献３に開示された移動体電話装置は、基地局との間で電波の送受を行うアンテナを設けた無線機と、この無線機に接続された受話機とを備え、基地局の通話圏内外かを判断する判断手段と、この判断手段からの圏外判断信号を受け、かつ、コントロールキーの操作信号を受けたことを条件に入力された通話相手先のダイヤル番号を予約する予約手段と、判断手段から圏内判断信号を受けたとき予約されたダイヤル番号を、無線機を介して自動発信する発信手段を受話機制御部に設けて構成したものである。
【００１４】
この、特許文献３に開示された移動体電話装置によれば、通信圏外において通話相手の電話番号を入力して自動発信を予約しておけば、移動体電話装置が通信圏内に入った時に自動的に相手方の電話に発信されるので、移動体電話装置の移動速度がそれ程早くなく、簡単な要件で長時間の通話でなければ、通信中に移動体電話装置が再び通信圏外になり通話が切断されることはなくなる。
【特許文献１】特開２００４−３６４２２３号公報（図１、要約［解決手段］）
【特許文献２】特開２００２−２１８５４０号公報（図１、段落［００１４］）
【特許文献３】特開平６−２２４８４０号公報（図１、段落［００２１］、［００２２］、［００３０］、［００３１］）
【発明の開示】
【発明が解決しようとする課題】
【００１５】
しかしながら、上記特許文献１に開示された移動通信システムにおいては、通信圏外予告サーバが必要であり、通信圏外予告サーバは各移動端末から送られる位置を履歴として記憶しておき、その位置履歴から所定時間後の位置を予測してマップデータベースの地図情報を参照して通信圏外か通信圏内かを判別しなければならない。すなわち、この移動通信システムは所定の機能を有するサーバが新たに必要となるという問題点があった。
【００１６】
また、移動端末の予測位置はその位置の履歴から推定するものであって、所定時間後の推定位置を正確に予測することは困難であるという問題点がある。例えば、移動端末を使用する利用者が自動者で移動しているような場合には、その移動速度がかなり高速であり進行方向が頻繁に変わることも多く、所定時間後の推定位置と実際の位置に大きなずれが生じた場合には、実際には通信圏外に位置していても通信圏内に位置すると誤認されてしまうことになる。
【００１７】
自動車を運転中に携帯電話で通話することは事故につながり、法的に禁止されているが、最近では携帯電話を車載台に保持し、無線によりマイク、イヤホン接続したハンズフリー方式の携帯電話もあり、また、助手席に同乗したユーザが携帯電話を使用することもあり、上記特許文献１に開示された移動通信システムを適用しても正確性に欠けるという問題点があった。また、この移動通信システムでは通信圏外になる場合の予告通知は移動端末に対して行われるものであり、通話の相手先に予告されるものではないという問題点も存在する。
【００１８】
一方、上記特許文献２に開示された移動通信システム用交換機によれば、無線端末が通信中に通信圏外になった場合、通話の相手先にもその旨、交換機からメッセージが送信され、通話相手先も通信切断の原因が通信圏内から通信圏外に出たことによるということを知ることができる。しかしながら、このシステムは無線端末の位置を予測するものではなく、無線端末が通信圏外へ移動したと判別された時点でしか機能しないため、予め通話者が通信圏外に出ることを知ることができないという問題点があった。また、このシステムは無線通信用交換機を用いたものであるから、通常の交換機に新たに通知手段をもうけなければならないという問題点も存在する。
【００１９】
携帯電話を利用して通話中に、通信圏外に移動して通信が切断された場合、更に移動を続けて再び通信圏内になった時に再度通話中できあった相手先に自動的に発信され通話の続きを行えると好都合である。上記特許文献３に開示された移動体電話によれば、通信圏外において、相手先の電話番号を入力して予約しておくことにより移動体電話が通信圏内に移動した場合に、前記予約しておいた電話番号に自動発信することができるが、前述のように通話中に切断された通信を再度接続するは目的には利用できない。
【００２０】
一般の電話機にはリダイヤル機能が備えられており、リダイヤルボタンを操作することで直前に着信があった相手方の電話に自動発呼することができる。しかしながら、このリダイヤル機能は利用者によるリダイヤルボタン操作が必要になるため、ハンズフリーで車載した携帯電話では利用することができない。
【００２１】
本願の発明者は上記の問題点を解消すべく種々検討を重ねた結果、車載用のナビゲーションシステムやナビゲーションシステムサービスを受けることのできるアプケーションを搭載した携帯電話が実用化されていることに着目し、通信エリアデータを蓄積したデータベースを備えることによりナビゲーション機能をすれば、通話中に携帯電話が通信圏外になる場合に、予め通話の相手方にも通信圏外になることを告知し、携帯電話が通信圏内に入った際に通話中であった電話番号に自動的にリダイヤルするようになし得ることを想到して本発明を完成するに至ったものである。
【００２２】
すなわち、本発明は、前記の問題点を解消することを課題とし、通話中に携帯電話が通信圏外になる場合に、予め通話の相手方にも通信圏外になることを告知し、携帯電話が通信圏内に入った際に通話中であった電話番号に自動的にリダイヤルするようにした圏外告知機能を有する携帯電話を提供することを目的とするものである。
【課題を解決するための手段】
【００２３】
前記課題を解決するために、本願の請求項１にかかる発明は、
経路探索のための道路ネットワークデータと、通信エリアの情報を蓄積した通信エリアデータと、圏外予測手段と、を備えた経路探索サーバとネットワークを介して接続され、所望の地点から所望の地点までの経路を経路探索サーバから受信する携帯電話であって、
前記携帯電話は、前記経路探索サーバの圏外予測手段により所定時間後に通信エリアの圏外になることが予測された場合に、少なくとも通信の相手方にその旨を告知する圏外告知手段を備えることを特徴とする。
【００２４】
また、本願の請求項２にかかる発明は、請求項１にかかる圏外告知機能を有する携帯電話において、
前記携帯電話は、更に通話履歴記憶手段と、リダイヤル処理手段と、を備え、前記通話履歴記憶手段に通信の相手先の電話番号を記憶し、当該携帯電話が通信エリアの圏外になり、移動により再び通信エリアの圏内になったことが検出された場合、前記リダイヤル処理手段は前記通話履歴記憶手段に記憶された前記相手方の電話番号にリダイヤルすることを特徴とする。
【００２５】
本願の請求項３にかかる発明においては、
経路探索のための道路ネットワークデータと、各通信キャリアの通信エリアの情報を蓄積した通信エリアデータと、圏外予測手段と、を備えたナビゲーション装置と接続される携帯電話であって、
前記携帯電話は、通信キャリアを選択するキャリア選択手段と、前記ナビゲーション装置の圏外予測手段により所定時間後に前記通信エリアの圏外になることが予測された場合に、少なくとも通信の相手方にその旨を告知する圏外告知手段と、を備えることを特徴とする。
【００２６】
また、本願の請求項４にかかる発明においては、請求項３にかかる圏外告知機能を有する携帯電話において、
前記携帯電話は、更に通話履歴記憶手段と、リダイヤル処理手段と、を備え、前記通話履歴記憶手段に通信の相手先の電話番号を記憶し、当該携帯電話が前記通信エリアの圏外になり、移動により再び前記通信エリアの圏内になったことが検出された場合、前記リダイヤル処理手段は前記通話履歴記憶手段に記憶された前記相手方の電話番号にリダイヤルすることを特徴とする。
【発明の効果】
【００２７】
請求項１にかかる発明においては、携帯電話は、経路探索のための道路ネットワークデータと、通信エリアの情報を蓄積した通信エリアデータと、圏外予測手段と、を備えた経路探索サーバとネットワークを介して接続され、所望の地点から所望の地点までの経路を経路探索サーバから受信する。この携帯電話は、前記経路探索サーバの圏外予測手段により所定時間後に通信エリアの圏外になることが予測された場合に、少なくとも通信の相手方にその旨を告知する圏外告知手段を備える。
【００２８】
このような構成により、携帯電話を自動車に固定してハンズフリーで通話している場合に、ナビゲーションのための経路探索サーバと連携し、ある時間後に通信エリアの圏外になることが予測された場合に、通話の相手方に予め一定時間後に通信圏外になることを告知することができるようになる。
【００２９】
また、請求項２にかかる発明においては、請求項１にかかる圏外告知機能を有する携帯電話において、携帯電話は、更に通話履歴記憶手段と、リダイヤル処理手段と、を備え、前記通話履歴記憶手段に通信の相手先の電話番号を記憶し、当該携帯電話が通信エリアの圏外になり、移動により再び通信エリアの圏内になったことが検出された場合、前記リダイヤル処理手段は前記通話履歴記憶手段に記憶された前記相手方の電話番号にリダイヤルする。
【００３０】
このような構成により、携帯電話を自動車に固定してハンズフリーで通話している場合に、ナビゲーションのための経路探索サーバと連携し、ある時間後に通信エリアの圏外になることが予測された場合に、通話の相手方に予め一定時間後に通信圏外になることを告知することができるようになる。また、隣接する通信圏内に入った場合に圏外により切断された相手方に自動的にリダイヤルすることができるようになる。
【００３１】
請求項３にかかる発明においては、携帯電話は、経路探索のための道路ネットワークデータと、各通信キャリアの通信エリアの情報を蓄積した通信エリアデータと、圏外予測手段と、を備えたナビゲーション装置と接続され、前記携帯電話は、通信キャリアを選択するキャリア選択手段と、前記ナビゲーション装置の圏外予測手段により所定時間後に前記通信エリアの圏外になることが予測された場合に、少なくとも通信の相手方にその旨を告知する圏外告知手段と、を備える。
【００３２】
このような構成により、携帯電話を自動車に固定してハンズフリーで通話している場合に、ナビゲーション装置と連携し、ある時間後に通信エリアの圏外になることが予測された場合に、通話の相手方に予め一定時間後に通信圏外になることを告知することができるようになる。
また、請求項４にかかる発明においては、請求項３にかかる圏外告知機能を有する携帯電話において、携帯電話は、更に通話履歴記憶手段と、リダイヤル処理手段と、を備え、前記通話履歴記憶手段に通信の相手先の電話番号を記憶し、当該携帯電話が前記通信エリアの圏外になり、移動により再び前記通信エリアの圏内になったことが検出された場合、前記リダイヤル処理手段は前記通話履歴記憶手段に記憶された前記相手方の電話番号にリダイヤルする。
【００３３】
このような構成により、携帯電話を自動車に固定してハンズフリーで通話している場合に、ナビゲーション装置と連携し、ある時間後に通信エリアの圏外になることが予測された場合に、通話の相手方に予め一定時間後に通信圏外になることを告知することができるようになる。また、隣接する通信圏内に入った場合に圏外により切断された相手方に自動的にリダイヤルすることができるようになる。
【発明を実施するための最良の形態】
【００３４】
以下、本発明の具体例を実施例及び図面を用いて詳細に説明する。但し、以下に示す実施例は、本発明の技術思想を具体化するための圏外告知機能を有する携帯電話、携帯電話のリダイヤル方法を例示するものであって、本発明をこの携帯電話、携帯電話のリダイヤル方法に特定することを意図するものではなく、特許請求の範囲に含まれるその他の実施形態の携帯電話、携帯電話のリダイヤル方法にも等しく適用し得るものである。
【実施例１】
【００３５】
図１は本発明の実施例１にかかる圏外告知機能を有する携帯電話を含むシステムの構成を示すブロック図、図２は図１の携帯電話の外観を示す外観図である。図１のブロック図に示すように本発明の実施例１にかかるシステムは、圏外告知機能を有する携帯電話１０と経路探索サーバ４０から構成されている。
【００３６】
携帯電話１０は、通話部１１と本発明にかかる機能制御部２１から構成されている。通話部１１は、マイク１２とスピーカ１３と無線部１４とから構成されており、無線部１４は、アンテナ、送受信回路、変復調回路、圧縮伸長回路、音声コーデック等を含んでおり、無線部１４を介してマイク１２から入力された音声を音声信号として送信し、通話の相手方の音声信号を受信してスピーカ１３に出力する。
【００３７】
機能制御部２１は、主制御部２２、表示部２３、操作部２４、通話履歴記憶部２５、リダイヤル処理部２６、圏外告知部２７、メッセージ記憶部２８、圏外告知モード設定部２９、ナビゲーションアプリ３１、ＧＰＳ部３２を備えて構成されている。主制御部２２は、マイクロコンピュータ、ＲＡＭ、ＲＯＭ等からなりコンピュータ装置として機能し、無線部１４および機能制御部２１の上記各部を制御する。
【００３８】
表示部２３、操作部２４は、携帯電話１０における通話のための表示および操作の他に、インターネット網を介したデータ通信のための操作および表示にも使用される。操作部２４は、通話時に電話番号入力をするため、また、電子メールをはじめとするインターネット網を介した各種のデータ通信サービスを利用するために所望の文字列を入力するために使用される。例えば、ナビゲーションアプリ３１を起動している場合には、操作部２４は経路探索サーバ４０に経路探索要求を行うための操作に、また、表示部２３は経路探索サーバから受信した地図や案内経路を表示のために使用される。
【００３９】
操作部２４には、通話キー２４１、機能選択キー２４３、テンキー２４５が設けられ、通話時にはテンキー２４５を操作して電話番号を入力し、通話キー２４１を操作すると発信できる。また、テンキー２４５には英文字、カタカナ、ひらがなの文字が割り当てられ、図示していない英数カナ変換制御部により文字コード変換が行われる。文字コード変換は、入力モードが英数カナあるいはかな漢字変換モードであるかによりそれぞれ操作されたキーに応じた入力文字コードに変換される。機能選択キー２４３は携帯電話１０の所定の機能を有効にするキーであり、メーカー、機種によりこのキーに割当てられる機能は異なる。
【００４０】
図２は、図１に示す携帯電話１０の外観を示す図である。携帯電話１０は液晶表示ユニットなどで構成された表示部２３と操作部２４とを備えており、操作部２４には通話キー２４１と機能選択キー２４３と複数のテンキー２４５が設けられ、また、参照番号を付していないモードキーや表示部２３に表示された画面の特定表示画像を操作するためのカーソルキーなどを備えている。
【００４１】
図１において、圏外告知モード設定手段２９は、通話中に携帯電話１０が通信エリアの圏外に出ることが予測される場合に相手方に圏外になり通話が切断される旨を告知する設定（圏外告知モード）を設定するためのものである。圏外告知部２７は圏外告知モードに設定されている時、携帯電話１０が通信エリア圏外に出る予測がなされた場合に通話の相手方にメッセージ記憶部２８に記録されている圏外告知のメッセージを送信する。圏外予測は後述するようにナビゲーションアプリ３１を起動中に経路探索サーバ４０において行われる。
【００４２】
また、通話履歴記憶部２５は、着信、発信の通話履歴を記録するものであり、圏外告知モードに設定されている時には通話中の相手方電話番号等も通話履歴として記録する。リダイヤル処理部２６は、一般のリダイヤル処理機能と同様に、利用者が通話履歴記憶部２５に記録されている電話番号等を指定してリダイヤル操作された場合に当該電話番号に発呼する。本発明においては、圏外告知モードにおいて圏外告知を行った後、携帯電話１０が通信エリアの圏内に戻った場合には、通話履歴記憶部２５に記憶しておいた通話中の相手方電話番号に自動的にリダイヤルを行う。
【００４３】
ナビゲーションアプリ３１は携帯電話１０からネットワーク５０を介して経路探索サーバ４０に接続してナビゲーションサービスを受けるためのアプリケーションである。携帯電話１０の利用者がナビゲーションサービスを受けようとする場合には、このナビゲーションアプリ３１を起動し、出発地、目的地、移動手段（徒歩や自動車などの区別）などの経路探索条件を設定して経路探索サーバ４０に経路探索を要求する。
【００４４】
経路探索サーバ４０は、主制御部４１、通信手段４２、経路探索手段４３、圏外予測手段４４、道路ネットワークデータ４５、通信エリアデータ４６を備えて構成されている。主制御部４１は、図示していないがＲＡＭ、ＲＯＭ、プロセッサを有するマイクロプロセッサであり、ＲＯＭに格納された制御プログラムにより各部の動作を制御する。通信手段４２は、ネットワーク５０を介して携帯電話１０と通信するためのインターフェースである。経路探索手段４３は携帯電話１０から送信された経路探索条件に従って道路ネットワークデータ４５の探索用ネットワークデータを参照して最適経路を探索する。
【００４５】
道路ネットワークデータ４５は、地図データを含み、地図上の道路（経路）をその結節点、屈曲点の位置をノードとし、各ノードを結ぶ経路をリンクとし、全てのリンクのコスト情報（距離や所要時間）をデータベースとして備えている。そして、経路探索サーバ４０は、この道路ネットワークデータ４５を参照して、出発地のノードから目的地のノードに至るリンクを順次探索し、リンクのコスト情報が最小となるノード、リンクをたどって案内経路とすることによって最短の経路を携帯電話１０に案内することができる。このような経路探索の手法としてはラベル確定法あるいはダイクストラ法と言われる手法が用いられる。このような構成は一般のナビゲーションシステムと同様のものである。
【００４６】
携帯電話１０は経路探索サーバ４０から案内経路データを受信するとこれを一時記憶し、表示図２３に地図、案内経路などを表示する。ＧＰＳ部３２は一定の時間間隔でＧＰＳ衛星の信号を受信して携帯電話１０の現在位置を算出する。ＧＰＳ部３２で算出した現在位置は表示部２３に表示した地図、案内経路に重ねあわせて現在位置マークとして表示される。また、この現在位置は経路探索サーバ４０に送信され、経路探索サーバ４０は現在位置が案内経路から外れた場合には目的地までの経路を再探索する。
【００４７】
本実施例１においては、経路探索サーバ４０は各基地局がカバーする通信エリアの地理的範囲を蓄積したデータベースである通信エリアデータ４６と圏外予測手段４４を備えている点が一般的なナビゲーションシステムと異なる。圏外予測手段４４は、携帯電話１０に案内した案内経路（探索した最適経路）と、携帯電話１０から送信される現在位置情報に基づいて携帯電話１０が案内経路に沿って進行し、一定の時間後に通信エリアの圏外に出るか否かを予測する。圏外予測手段４４は一定の時間後に携帯電話１０が圏外になると判別すると携帯電話１０にその旨を送信する。なお、この圏外予測手段４４の動作は携帯電話１０が前述した圏外告知モードに設定されている場合にアクティブとなるものである。
【００４８】
次に、本発明の実施例１にかかる携帯電話１０における圏外告知、リダイヤルの手順を図３に示すフローチャートを参照して説明する。携帯電話１０において、圏外告知モード設定部２９に圏外告知モードが設定され、また、ナビゲーションアプリ３１が起動され経路探索サーバ４０から案内経路を受信しているものとして以下の説明を行う。
【００４９】
図３のフローチャートにおいて、ステップＳ１１の処理において携帯電話１０は着信、または発信状態であると呼の接続がなされる。ステップＳ１２の処理において通話が終了したか否かが判定される。通話が終了していたならばステップＳ２１の処理に進み、呼の切断が行われ処理を終了する。
【００５０】
ステップＳ１２の処理において通話が終了していなければ、ステップＳ１３の処理においてナビゲーションアプリ３１が起動中であるか判定する。ナビゲーションアプリ３１が起動中でなければステップＳ１２の通話終了の判定処理に戻る。携帯電話１０においてナビゲーションアプリ３１が起動中であるので、ステップＳ１４の処理において携帯電話１０が圏外告知モードに設定されているか否かを判定する。圏外告知モードに設定されていなければステップＳ１２の通話終了の判定処理に戻る。携帯電話１０において圏外告知モードに設定されているので、ステップＳ１５の処理に進み、通話履歴記憶部２５に通話中の相手方電話番号を記憶する。
【００５１】
次いで、携帯電話１０はステップＳ１６の処理において、経路探索サーバ４０から圏外予測を受信したか否かを判定する。圏外予測を受信していなければステップＳ１６の処理を繰り返す。圏外予測を受信したてならばステップＳ１７の処理に進み、圏外告知部２７は、通話中の相手方に一定時間後に携帯電話１０が通信エリアの圏外に出る旨のメッセージをメッセージ記憶手段２５から読み出して送信する。告知メッセージには、再度通信圏内に入った場合リダイヤルする旨をつけ加えてもよい。
【００５２】
また、この時同時に自携帯電話１０のスピーカ（図示していない）から同じメッセージを出力し、携帯電話１０の利用者にも圏外告知するように構成してもよい。この処理により、通話の相手方にも携帯電話１０がまもなく通信エリアの圏外になり、通話が切断されることを前もって告知することができるようになる。
【００５３】
ステップＳ１７の処理において圏外告知を行った後、携帯電話１０が案内経路上を進行して実際に圏外に出ると、ステップＳ１８において携帯電話１０と通話の相手方との通信は回線断となり、携帯電話１０は待ち受けモードになる。
【００５４】
携帯電話１０は更に案内経路上を進行するとステップＳ１９の処理において圏内になったか否かを判定する。ステップＳ１９の処理において携帯電話１０が隣接する基地局の通信エリアの圏内に入ったことが検出されると、ステップＳ２０の処理においてリダイヤル処理部２６は通話履歴記憶部２５参照し、圏外告知時に通話中であった相手方の電話番号を取得して自動的にリダイヤル処理を行う。
【００５５】
このように構成することにより、携帯電話１０を自動車に固定してハンズフリーで通話している場合に、通話の相手方に予め一定時間後に通信圏外になることを告知することができ、また、隣接する通信圏内に入った場合に圏外により切断された相手方に自動的にリダイヤルすることができるようになる。
【００５６】
以上の実施例は携帯電話１０がＧＰＳ部３２とナビゲーションアプリ３１を搭載し、通信キャリアが提供する経路探索サーバ４０によるナビゲーションサービスに登録、加入している場合に圏外告知、リダイヤルを行う例であったが、自動車に設置されたナビゲーション装置と連携する構成であってもよい。この場合のナビゲーション装置は地図、道路ネットワークデータなどをサーバからダウンロードしてスタンドアロンで動作する通信型のナビゲーション装置であってもよい。
【実施例２】
【００５７】
図４は本発明の実施例２にかかる圏外告知機能を有する携帯電話を含むシステムの構成を示すブロック図である。図４のブロック図に示すように本発明の実施例２にかかるシステムは、圏外告知機能を有する携帯電話１０とナビゲーション装置６０とから構成され、携帯電話１０とナビゲーション装置６０とは無線ＬＡＮ５２などの近距離無線ネットワークで接続されデータ通信が可能な構成になっている。
【００５８】
実施例２における携帯電話１０は、実施例１の携帯電話１０におけるＧＰＳ部３２とナビゲーションアプリ３１を備える必要がなく、代わりに通信キャリアを選択するキャリア選択部３０を備えて構成されている。その他の構成は実施例１の携帯電話１０と同様である。図４の携帯電話１０において実施例１と同一の機能要素は同一の参照番号を付している。
【００５９】
一方、ナビゲーション装置６０は、通信エリアデータ６６として、通信エリアデータ６６に通信キャリアＡ、通信キャリアＢで示すように通信キャリア毎の通信エリアの情報を蓄積している。また、探索した経路や地図を表示その他の構成は実施例１における経路探索サーバ４０と同様の構成であり、主制御部６１は図１の主制御部４１に相当し、以下同様である。
【００６０】
通信キャリア毎の通信エリアデータ６６に通信キャリア毎の通信エリアの情報を蓄積（通信キャリアＡ、通信キャリアＢなど）する理由は、基地局の設置場所、すなわち、通信エリアが通信キャリア毎に異なり、連携する携帯電話１０が加入している通信キャリアにより通信可能なエリアが異なるためである。
【００６１】
本実施例２において、携帯電話１０の利用者が圏外告知の機能を有効にしたい場合には、圏外告知モード設定部２９において圏外告知モードを設定するとともに、キャリア選択部３０において携帯電話１０が加入、登録している通信キャリアを選択する。そして、自動車に設置されたナビゲーション装置６０と無線ＬＡＮ５２を介して圏外告知モードの設定、選択した通信キャリアの情報を送信する。
【００６２】
ナビゲーション装置６０は携帯電話１０から通信キャリアの情報を受信すると、圏外予測手段６４は通信エリアデータ６６に蓄積された通信キャリア毎のデータのうち、該当する通信キャリアの通信エリアデータを選択して圏外予測を行う。
【００６３】
ナビゲーション装置６０のその他の構成要素の機能、動作は経路探索サーバ４０の動作と同様であるが、一般的な車載用ナビゲーション装置と同様にナビゲーション装置６０の現在位置はＧＰＳ部６８で算出される。また、トンネル内などＧＰＳ衛星信号を受信できない場所においては自律航法部６９において算出される。自律航法部６９は加速度センサ、車速センサ、舵角センサ、などから構成されている。
【００６４】
経路探索手段６３は利用者によって指定された出発地から目的地までの最適経路を、道路ネットワークデータ６５を参照して探索する。経路探索手段６３によって探索された案内経路は地図、ＧＰＳ部６８または自律航法部６９が算出した現在位置とともに表示手段６７に表示される。
【００６５】
一方、携帯電話１０は圏外告知モード設定部２９において圏外告知モードを設定すると、着信、または、発信状態になると通話履歴記憶部２５に相手方の電話番号を記憶する。そしてナビゲーション装置６０から圏外予測結果の通知を受信すると、圏外告知部２７はメッセージ記憶部２８に記憶してあるメッセージを読み出し、通話履歴記憶部２５に記憶した通話の相手方に通話が切断される旨のメッセージを送信する。
【００６６】
利用者が乗車した自動車が案内経路を進行し、携帯電話１０が再び隣接した通信エリアの圏内に入ると、リダイヤル処理部２６は通話履歴記憶部２５に記憶された通話の相手先にリダイヤルする処理を行う。これにより、通信圏外で切断された通話相手方と自動的に再度通話を行うことができるようになる。
【００６７】
次に、本発明の実施例２にかかる携帯電話１０における圏外告知、リダイヤルの手順を図５に示すフローチャートを参照して説明する。ナビゲーション装置６０が起動され経路探索、経路案内を実行しているものとして以下の説明を行う。
【００６８】
図５は、携帯電話１０がナビゲーション装置６０と連携して圏外告知を行うための前処理の手順を示すフローチャートであり、ステップＳ３１〜ステップＳ３３は携帯電話１０における処理、ステップＳ３４〜ステップＳ３６はナビゲーション装置６０における処理を示している。
【００６９】
先ず、ステップＳ３１の処理において携帯電話１０は、圏外告知モード設定部２９に圏外告知モードを設定する。次に、ステップＳ３２の処理においてキャリア選択部３０により携帯電話１０が加入している通信キャリアを選択する。そして、ステップＳ３３の処理において携帯電話１０はナビゲーション装置６０に圏外告知モードと選択した通信キャリアの情報を送信する。
【００７０】
ナビゲーション装置６０はステップＳ３４の処理において、携帯電話１０から送信された圏外告知モードと選択した通信キャリアの情報を受信する。次いでナビゲーション装置６０は、通信エリアデータ６６に蓄積されたデータから該当する通信キャリアの通信エリアのデータを選択し、ステップＳ３６の処理において圏外予測手段６４をアクティブにして圏外予測処理を行う。
【００７１】
この前処理が終了すると、携帯電話１０とナビゲーション装置６０が連携して携帯電話１０が圏外告知を行う処理手順に入る。この処理手順は図３の実施例１に示すフローチャートの処理手順と同じであるが、実施例１においては圏外予測を経路探索サーバ４０が行い、実施例２においては圏外予測をナビゲーション装置６０が行う点、および、実施例１においては携帯電話１０が備えるナビゲーションアプリ３１と連携し、実施例２においては自動車に設置されたナビゲーション装置６０と連携する点が相違する。
【００７２】
以上説明したように、本発明によれば、通話中に携帯電話が通信圏外になる場合に、予め通話の相手方にも通信圏外になることを告知し、また、携帯電話が通信圏内に戻ったら自動的にリダイヤルできるようになる。
【図面の簡単な説明】
【００７３】
【図１】本発明の実施例１にかかる圏外告知機能を有する携帯電話を含むシステムの構成を示すブロック図である。
【図２】図１の携帯電話の外観を示す外観図である。
【図３】本発明の実施例１にかかる携帯電話の圏外告知、リダイヤルの手順を示すフローチャートである。
【図４】本発明の実施例２にかかる圏外告知機能を有する携帯電話を含むシステムの構成を示すブロック図である。
【図５】本発明の実施例２にかかる圏外告知機能を有する携帯電話がナビゲーション装置と連携して圏外告知を行うための前処理の手順を示すフローチャートである。
【符号の説明】
【００７４】
１０・・・携帯電話
１１・・・通話部
１２・・・マイク
１３・・・スピーカ
１４・・・無線部
２１・・・機能制御部
２２・・・主制御部
２３・・・表示部
２４・・・操作部
２５・・・通話履歴記憶部
２６・・・リダイヤル処理部
２７・・・圏外告知部
２８・・・メッセージ記憶部
２９・・・圏外告知モード設定部
３１・・・ナビゲーションアプリ
３２・・・ＧＰＳ部
４０・・・経路探索サーバ
４１・・・主制御部
４２・・・通信手段
４３・・・経路探索手段
４４・・・圏外予測手段
４５・・・道路ネットワークデータ
４６・・・通信エリアデータ
５０・・・ネットワーク
【図１】
2007151049.tif 000003
【図２】
2007151049.tif 000004
【図３】
2007151049.tif 000005
【図４】
2007151049.tif 000006
【図５】
2007151049.tif 000007